(57)【要約】【課題】強度を確保しつつ、十分な軽量化を実現できるスピーカユニットを提供する。【解決手段】振動板２１および磁気回路２２が結合されたフレーム３０を備えるスピーカユニット１００であって、フレーム３０は、振動板２１の外周を支持し、外周を囲う筒状の形状を有する第１の支持部３１と、第１の支持部３１の内側に配置され、磁気回路２２を支持する第２の支持部３６と、第１の支持部３１と第２の支持部３６とを接続する複数の接続部３７と、を備え、接続部３７は、第２の支持部３６から第１の支持部３１に向かうにしたがって、放出方向における幅が大きくなり、第１の支持部３１と接続されている第１接続部分３７ａにおける放出方向の第１幅ｈ１は、第２の支持部３６と接続されている第２接続部分３７ｂにおける放出方向の第２幅ｈ２よりも大きい。【選択図】図８
2018056853.tif 000002
【特許請求の範囲】
【請求項１】
振動板および磁気回路が結合されたフレームを備えるスピーカユニットであって、
前記フレームは、
前記振動板の外周を支持し、前記外周を囲う筒状の形状を有する第１の支持部と、
前記第１の支持部の内側に配置され、前記磁気回路を支持する第２の支持部と、
前記第１の支持部と前記第２の支持部とを接続する複数の接続部と、を備え、
前記接続部は、
前記第２の支持部から前記第１の支持部に向かうにしたがって、前記スピーカユニットの音の放出方向における幅が大きくなり、
前記第１の支持部と接続されている第１接続部分における前記放出方向の第１幅は、前記第２の支持部と接続されている第２接続部分における前記放出方向の第２幅よりも大きい
スピーカユニット。
【請求項２】
前記第１接続部分は、前記第１の支持部の前側の端部との間に隙間が設けられている
請求項１に記載のスピーカユニット。
【請求項３】
前記接続部は、
前記振動板の径方向に沿って形成される部位であり、
前記接続部の前側の第１部位から前記振動板の周方向の一方側に向かって立設され、前記径方向に沿って延びる第１のリブと、
前記第１部位よりも後ろ側の第２部位から前記周方向の他方側に向かって立設され、前記径方向に沿って延びる第２のリブと、を有する
請求項１または２に記載のスピーカユニット。
【請求項４】
前記接続部は、さらに、前記第１のリブから後ろ側に向かって立設され、前記径方向に沿って延びる第３のリブを有する
請求項３に記載のスピーカユニット。
【請求項５】
前記接続部は、さらに、前記第２のリブから後ろ側に向かって立設され、前記径方向に沿って延びる第４のリブを有する
請求項３または４に記載のスピーカユニット。
【請求項６】
前記接続部は、前記第２接続部分において、前記第１のリブおよび前記第２のリブが延設された形状を有する
請求項３から５のいずれか１項に記載のスピーカユニット。
【請求項７】
前記第１のリブおよび前記第２のリブは、前記第１の支持部と接続されている
請求項３から６のいずれか１項に記載のスピーカユニット。
【請求項８】
前記接続部は、後ろ側が前側に向かって凹んでいる凹形状を有する
請求項１から５のいずれか１項に記載のスピーカユニット。
【請求項９】
前記フレームは、
前記振動板の外周を支持する支持部と、
前記支持部の外周から外側に拡がる台座部と、
前記台座部における、前記支持部の外周を囲う複数の位置に設けられた複数の締結部と、
前記台座部における、前記複数の締結部の間の複数の領域に配置され、前記支持部、および、前記台座部に固定された、複数の補強部と、を有し、
前記複数の補強部は、前記台座部からの高さが第１の高さである第１部分と、前記第１の高さより低い第２の高さである第２部分とを有する
請求項１から８のいずれか１項に記載のスピーカユニット。
【請求項１０】
請求項１に記載のスピーカユニットと、
前記スピーカユニットに電気信号を入力する回路部と、を備える
電子機器。
【請求項１１】
請求項１に記載のスピーカユニットと、
前記スピーカユニットに電気信号を入力する回路部と、
前記スピーカユニットと前記回路部とを搭載した、自走可能な本体と、を備える
移動体装置。
【発明の詳細な説明】
【技術分野】
【０００１】
本開示は、スピーカユニット、電子機器および移動体装置に関する。
【背景技術】
【０００２】
従来、振動板を支持するフレームが補強リブにより補強されているスピーカが開示されている（特許文献１参照）。
【先行技術文献】
【特許文献】
【０００３】
【特許文献１】国際公開第２０１３／１６１２１４号
【発明の概要】
【発明が解決しようとする課題】
【０００４】
ところで、近年、車載向けスピーカユニットは、自動車の燃費向上のために更なる軽量化が要求されており、特許文献１に記載のスピーカでは、軽量化が十分ではない。
【０００５】
そこで、本開示は、強度を確保しつつ、十分な軽量化を実現できるスピーカユニットを提供する。
【課題を解決するための手段】
【０００６】
本発明の一態様に係るスピーカユニットは、振動板および磁気回路が結合されたフレームを備えるスピーカユニットであって、前記フレームは、前記振動板の外周を支持し、前記外周を囲う筒状の形状を有する第１の支持部と、前記第１の支持部の内側に配置され、前記磁気回路を支持する第２の支持部と、前記第１の支持部と前記第２の支持部とを接続する複数の接続部と、を備え、前記接続部は、前記第２の支持部から前記第１の支持部に向かうにしたがって、前記スピーカユニットの音の放出方向における幅が大きくなり、前記第１の支持部と接続されている第１接続部分における前記放出方向の第１幅は、前記第２の支持部と接続されている第２接続部分における前記放出方向の第２幅よりも大きい。
【発明の効果】
【０００７】
本開示のスピーカユニットでは、フレームの形状剛性を確保しつつ、十分な軽量化を実現できる。
【図面の簡単な説明】
【０００８】
【図１】実施の形態１に係るスピーカユニットの外観の一例を示す斜視図である。
【図２】スピーカユニットを外部筐体に締結する例を示す図である。
【図３】スピーカユニットの構成の一例を示す分解斜視図である。
【図４】フレームの斜視図である。
【図５】図４におけるＺ軸方向プラス側から見た場合のフレームの平面図である。
【図６】図４とは異なる角度から見た場合のフレームの斜視図である。
【図７】フレームを下方から見た斜視図である。
【図８】図５におけるＶＩＩＩ−ＶＩＩＩ断面を示す図である。
【図９】図５における第１の視線方向Ｄ１から見た場合のフレームの側面図である。
【図１０】図５における第２の視線方向Ｄ２から見た場合のフレームの側面図である。
【図１１】実施の形態２に係るフレームの斜視図である。
【図１２】図１１におけるＺ軸方向プラス側から見た場合のフレームの平面図である。
【図１３】図１１とは異なる角度から見た場合のフレームの斜視図である。
【図１４】図１２における第１の視線方向Ｄ１から見た場合のフレームの側面図である。
【図１５】図１２における第２の視線方向Ｄ２から見た場合のフレームの側面図である。
【図１６】実施の形態３における電子機器であるオーディオ用のミニコンポシステムの外観図である。
【図１７】実施の形態４における移動体装置である自動車の断面図である。
【発明を実施するための形態】
【０００９】
本発明の一態様に係るスピーカユニットは、振動板および磁気回路が結合されたフレームを備えるスピーカユニットであって、前記フレームは、前記振動板の外周を支持し、前記外周を囲う筒状の形状を有する第１の支持部と、前記第１の支持部の内側に配置され、前記磁気回路を支持する第２の支持部と、前記第１の支持部と前記第２の支持部とを接続する複数の接続部と、を備え、前記接続部は、前記第２の支持部から前記第１の支持部に向かうにしたがって、前記スピーカユニットの音の放出方向における幅が大きくなり、前記第１の支持部と接続されている第１接続部分における前記放出方向の第１幅は、前記第２の支持部と接続されている第２接続部分における前記放出方向の第２幅よりも大きい。
【００１０】
これによれば、接続部は、第１の支持部に向かうにしたがって、放出方向における幅が大きくなっており、第１接続部分における第１の幅が第２接続部分における第２の幅よりも大きいため、第１接続部分における強度を確保しつつ、軽量化を実現することができる。
【００１１】
また、前記第１接続部分は、前記第１の支持部の前側の端部との間に隙間が設けられていてもよい。
【００１２】
このため、更なる軽量化を実現することができる。
【００１３】
また、前記接続部は、前記振動板の径方向に沿って形成される部位であり、前記接続部の前側の第１部位から前記振動板の周方向の一方側に向かって立設され、前記径方向に沿って延びる第１のリブと、前記第１部位よりも後ろ側の第２部位から前記周方向の他方側に向かって立設され、前記径方向に沿って延びる第２のリブと、を有してもよい。
【００１４】
このため、接続部の強度をさらに向上させることができる。
【００１５】
また、前記接続部は、さらに、前記第１のリブから後ろ側に向かって立設され、前記径方向に沿って延びる第３のリブを有してもよい。
【００１６】
このため、接続部の強度をさらに向上させることができる。
【００１７】
また、前記接続部は、さらに、前記第２のリブから後ろ側に向かって立設され、前記径方向に沿って延びる第４のリブを有してもよい。
【００１８】
このため、接続部の強度をさらに向上させることができる。
【００１９】
また、前記接続部は、前記第２接続部分において、前記第１のリブおよび前記第２のリブが延設された形状を有してもよい。
【００２０】
このため、第２接続部分における強度をさらに向上させることができる。
【００２１】
また、前記第１のリブおよび前記第２のリブは、前記第１の支持部と接続されていてもよい。
【００２２】
このため、第１の接続部分における強度をさらに向上させることができる。
【００２３】
また、前記接続部は、後ろ側が前側に向かって凹んでいる凹形状を有してもよい。
【００２４】
このため、接続部における強度を確保しつつ、さらなる軽量化を実現することができる。
【００２５】
また、前記フレームは、前記振動板の外周を支持する支持部と、前記支持部の外周から外側に拡がる台座部と、前記台座部における、前記支持部の外周を囲う複数の位置に設けられた複数の締結部と、前記台座部における、前記複数の締結部の間の複数の領域に配置され、前記支持部、および、前記台座部に固定された、複数の補強部と、を有し、前記複数の補強部は、前記台座部からの高さが第１の高さである第１部分と、前記第１の高さより低い第２の高さである第２部分とを有してもよい。
【００２６】
これによれば、複数の補強部のそれぞれの第２部分を第１部分よりも低くしている。このため、低くした分だけ、フレームを軽量化することができる。これにより、フレームに必要な形状剛性を確保するとともに、フレームを十分に軽量化することができ、スピーカユニットを十分に軽量化することができる。
【００２７】
本発明の一態様に係るスピーカユニットは、補強部を有するスピーカユニットであって、振動板および磁気回路が結合されたフレームを備え、前記フレームは、前記振動板の外周を支持する支持部と、前記支持部の外周から外側に拡がる台座部と、前記台座部における、前記支持部の外周を囲う複数の位置に設けられた複数の締結部と、前記台座部における、前記複数の締結部の間の複数の領域に配置され、前記支持部、および、前記台座部に固定された、複数の補強部と、を有し、前記複数の補強部は、前記台座部からの高さが第１の高さである第１部分と、前記第１の高さより低い第２の高さである第２部分とを有する。
【００２８】
これによれば、複数の補強部のそれぞれの第２部分を第１部分よりも低くしている。このため、低くした分だけ、フレームを軽量化することができる。これにより、フレームに必要な形状剛性を確保するとともに、フレームを十分に軽量化することができ、スピーカユニットを十分に軽量化することができる。
【００２９】
また、前記複数の補強部は、前記支持部および前記台座部に交差する姿勢で、前記支持部および前記台座部に固定され、前記支持部の外周の周方向に並んで配置される複数の板部を有してもよい。
【００３０】
これによれば、複数の補強部は、支持部および台座部に交差する姿勢で、支持部および台座部に固定される複数の板部を有する。このため、複数の補強部の強度を十分に確保できる。よって、フレームの十分な軽量化、および、十分な強度の確保の両立を実現できる。
【００３１】
また、前記複数の補強部は、さらに、前記台座部に対向して配置される曲板状の曲板部を有し、前記複数の板部は、前記台座部および前記曲板部の間に配置され、さらに、前記曲板部に交差する姿勢で、前記曲板部に固定されてもよい。
【００３２】
これによれば、複数の補強部は、台座部に対向して配置されている曲板部と、台座部および曲板部の間に配置される複数の板部とにより、中空構造を構成している。このため、フレームの台座部における強度を十分に確保できる。
【００３３】
また、前記複数の補強部は、当該補強部の略中央の位置から前記スピーカユニットの中心軸に向かう方向に沿った形状を有してもよい。
【００３４】
このため、例えば、フレームを樹脂成形する場合に、当該補強部の略中央の位置からスピーカユニットの中心軸に向かう方向に略平行な形状を有する金型を使用すればよいため、フレームの樹脂成形を容易に実現することができる。
【００３５】
また、前記複数の補強部は、さらに、前記支持部の外側において前記台座部に立設され、前記支持部に対向して配置される壁部を有し、前記複数の板部は、前記支持部および前記壁部の間に配置され、さらに、前記壁部に交差する姿勢で、前記壁部に固定されてもよい。
【００３６】
これによれば、複数の補強部は、支持部に対向して配置されている壁部と、支持部および壁部の間に配置される複数の板部とにより、中空構造を構成している。このため、フレームの台座部における強度を十分に確保できる。
【００３７】
また、前記複数の補強部は、前記支持部の軸方向に沿った形状を有してもよい。
【００３８】
このため、例えば、フレームを樹脂成形する場合に、支持部の軸方向に略平行な形状を有する金型を使用すればよいため、フレームの樹脂成形を容易に実現することができる。
【００３９】
また、前記フレームは、さらに、前記複数の締結部のうちの第１の締結部および第２の締結部の間に設けられ、前記スピーカユニットへ音声信号を入力するための配線が接続されるコネクタ部を有し、前記複数の補強部のうち、前記第１の締結部および前記第２の締結部の間に設けられる第１の補強部の剛性は、前記第１の補強部以外の第２の補強部の剛性よりも小さくてもよい。
【００４０】
コネクタ部が設けられる台座部の領域では、コネクタ部が形成されている分だけ、剛性が大きくなるため、第１の補強部の剛性を第２の補強部の剛性よりも小さくすることで、台座部の複数の領域における剛性を均一化することができる。このため、台座部３２の特定の部位にだけ荷重がかかることで、当該特定の部位が変形したり、破損したりすることを抑制することができる。
【００４１】
また、前記第１の補強部が有する前記複数の板部の数は、前記第２の補強部が有する前記複数の板部の数よりも少なくてもよい。
【００４２】
このため、簡単な構成で、第１の補強部の剛性を第２の補強部の剛性よりも小さくすることができる。
【００４３】
また、前記複数の補強部は、前記台座部側とは反対側において、前記支持部の外側から見て、前記台座部側に凸の曲面状の形状を有してもよい。
【００４４】
このため、複数の補強部の剛性を向上させることができる。
【００４５】
また、前記複数の補強部は、前記台座部側とは反対側において、前記支持部の外側から見て、前記台座部側に凸の谷状の形状を有してもよい。
【００４６】
このため、複数の補強部の剛性を向上させることができる。
【００４７】
また、前記複数の締結部は、前記支持部の外周から外側に突出する板状の突出部を有し、前記複数の補強部は、（ｉ）さらに、前記支持部の外周の周方向における当該補強部の両端が、当該補強部が対応する前記複数の締結部の前記突出部に固定されており、（ｉｉ）当該補強部の前記両端における前記台座部からの高さが、当該補強部の前記複数の締結部の間の部位における前記台座部からの高さよりも高い構造を有してもよい。
【００４８】
一般的に、スピーカユニットの台座部と開口部との間には、ガスケットとしての弾性部材を配置することで、気密性および水密性を向上させる。また、スピーカユニットは、弾性部材が台座部と開口部との間に配置された上で、フレームの複数の締結部において、圧縮応力が働くように開口部に締結部材によって締結されるため、弾性部材からの反発力を受ける。特に、台座部の、複数の締結部の間の領域では、締結部材により締結されていないため、開口部とは反対側に凸になるように変形しやすい。このような、変形しやすい複数の締結部の間の領域のうち、補強部の両端における台座部からの高さが、当該補強部の複数の締結部の間の部位における台座部からの高さよりも高い構造としているため、複数の締結部の間の部位が開口部とは反対側に凸になるように変形することを抑制できる。このため、スピーカユニットと開口部との間の気密性および水密性を向上させることができる。
【００４９】
また、前記複数の補強部は、当該補強部の前記両端における前記台座部からの高さが、略等しく、当該補強部の前記周方向における中央付近での前記台座部からの高さが、当該補強部の前記台座部からの高さのうちの最小の高さであってもよい。
【００５０】
このため、台座部３２が開口部とは反対側に凸になるように変形することを効果的に抑制できる。このため、スピーカユニットと開口部との間の気密性および水密性を効果的に向上させることができる。
【００５１】
なお、これらの全般的または具体的な態様は、スピーカユニットを有する電子機器やスピーカユニットを有する移動体装置で実現されてもよい。
【００５２】
以下、本発明の一態様に係るスピーカユニットについて、図面を参照しながら具体的に説明する。
【００５３】
なお、以下で説明する実施の形態は、いずれも本発明の一具体例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００５４】
（実施の形態１）
図１〜図１０を用いて、実施の形態１に係るスピーカユニットについて説明する。
【００５５】
なお、本実施の形態では、スピーカユニットの中心軸をＺ軸方向とし、当該中心軸に対してコネクタが位置する方向をＹ軸方向とし、Ｚ軸方向およびＹ軸方向に直交する方向をＸ軸方向とする。図１〜図１０では、Ｘ軸、Ｙ軸およびＺ軸を示す矢印が指している側を、それぞれの方向のプラス側とし、それぞれの方向の反対側をマイナス側とする。なお、スピーカユニットの中心軸とは、スピーカユニットの略円錐形状の中心軸である。
【００５６】
［１−１．スピーカユニットの構成］
実施の形態１に係るスピーカユニット１００の構成について、図１〜図３を用いて説明する。
【００５７】
図１は、実施の形態１に係るスピーカユニットの外観の一例を示す斜視図である。図２は、スピーカユニットを外部筐体に締結する例を示す図である。図３は、スピーカユニットの構成の一例を示す分解斜視図である。
【００５８】
スピーカユニット１００は、気密性や水密性の向上およびスピーカユニット１００の動作時の振動によるビリツキ音を低減させることを目的として、フレーム３０の、スピーカユニット１００が音を放出する側（前側、Ｚ軸方向プラス側）と、その反対側とに、それぞれ、第１の弾性部材１０および第２の弾性部材４０を備えていることが多い。
【００５９】
スピーカユニット１００は、略円錐形状の振動板２１と、略円柱形状の磁気回路２２とが結合されたフレーム３０を有する。磁気回路２２は、図示しない、マグネット、プレートおよびヨークにより構成されており、図示しないボイスコイルに入力された音声信号に応じて振動板２１を振動させる。磁気回路２２は、内磁型であってもよいし、外磁型であってもよい。
【００６０】
フレーム３０は、振動板２１を支持する。また、フレーム３０は、自動車のフロントドアなどの外部筐体１１０に設けられた円形の開口部１１１に、フレーム３０が有する複数の締結部３３と外部筐体１１０が備える複数の貫通孔１１２とが、図示しない締結部材により締結されることで、スピーカユニット１００を外部筐体に固定する。フレーム３０は、例えば、樹脂により構成されている。
【００６１】
［１−２．フレームの構成］
次に、フレーム３０の詳細な構成について図４〜図６を用いて説明する。
【００６２】
図４は、実施の形態１に係るフレームの斜視図である。図５は、Ｚ軸方向プラス側から見た場合のフレームの平面図である。図６は、図４とは異なる角度から見た場合のフレームの斜視図である。
【００６３】
図４〜図６に示すように、フレーム３０は、略筒状の第１の支持部３１と、台座部３２と、複数の締結部３３と、補強部３４とを有する。フレーム３０は、さらに、第２の支持部３６と、複数の接続部３７と、コネクタ部３８とを有してもよい。なお、フレーム３０は、樹脂により、各構成要素３１〜３８が一体に形成されている構成である。
【００６４】
第１の支持部３１は、スピーカユニット１００のうちの振動板２１を支持する部位である。具体的には、第１の支持部３１は、内部に配置される振動板２１の外周を支持する略円筒状の形状を有する部材である。第１の支持部３１は、振動板２１の外周に対応する形状を有する。
【００６５】
第２の支持部３６は、スピーカユニット１００のうちの振動部品であるダンパーの一部と磁気回路２２の部位とを支持する部位である。具体的には、第２の支持部３６は、略円錐形状および有底の略円筒形状の部材である。第２の支持部３６は、第１の支持部３１の内側に配置される。第２の支持部３６は、スピーカユニット１００のＺ軸方向マイナス側の部位のＺ軸方向マイナス側を覆う部位であり、スピーカユニット１００のＺ軸方向マイナス側の部位に対応する形状を有する。
【００６６】
複数の接続部３７は、第１の支持部３１と第２の支持部３６との間に配置され、第１の支持部３１と第２の支持部３６とを接続する部位である。第１の支持部３１と第２の支持部３６とは、図４に示すように、第１の支持部３１の内方に第２の支持部３６が位置するように、複数の接続部３７により接続されている。複数の接続部３７は、梁状の部位である。
【００６７】
台座部３２は、第１の支持部３１の外周から外側に拡がり、外部筐体に設けられた開口部に対向する部位である。台座部３２は、板状の部位であり、第２の弾性部材４０を開口部とで挟むことで、台座部３２と開口部との間の気密性および水密性を向上させている。
【００６８】
なお、第１の支持部３１は、Ｚ軸方向プラス側に、台座部３２と対向する当接面３５を有する。当接面３５は、スピーカユニット１００の音を放出する側の筐体に設けられた、図示しない開口部に第１の弾性部材１０を介して当接される。
【００６９】
複数（本実施の形態では３つ）の締結部３３は、それぞれが、台座部３２における、第１の支持部３１の外周を囲う複数の位置に設けられる部位である。複数の締結部３３は、具体的には、台座部３２からさらに外側（中心軸から離れる方向側）に延設して突出している部位であり、台座部３２よりも厚みが厚い部位である。複数の締結部３３は、所定の締結部材が貫通するための貫通孔３３ａを有する。なお、所定の締結部材とは、例えば、ネジ、ボルト、リベットなどである。つまり、スピーカユニット１００は、複数の締結部３３において、所定の締結部材により開口部１１１に締結されることにより、開口部１１１の所定の位置に固定される。
【００７０】
また、複数の締結部３３は、第１の支持部３１の外周から外側に突出する板状の突出部３３ｂを有する。板状の突出部３３ｂは、具体的には、１つの締結部３３を、第１の支持部３１の外周の周方向の両端に形成される一対の部位であり、Ｚ軸方向および当該外周の径方向に略平行な形状を有する。突出部３３ｂは、第１の支持部３１の外周面から台座部３２のＺ軸方向プラス側の面に亘って連続して形成されている。このため、複数の締結部３３の強度が確保され、台座部３２に対して複数の締結部３３がたわむことを低減できる。
【００７１】
また、複数の締結部３３は、フレーム３０の、スピーカユニット１００の中心軸に対応する位置を中心として、１２０度だけ互いに離れた位置に配置されている。つまり、複数の締結部３３は、第１の支持部３１の外周に等間隔で配置されている。
【００７２】
複数の補強部３４は、台座部３２における複数の締結部３３の間の複数の領域に配置され、第１の支持部３１の外周、および、台座部３２に固定されている。複数の補強部３４は、台座部３２の開口部１１１側とは反対側（つまり、Ｚ軸方向プラス側）の面に固定されている。複数の補強部３４は、曲板部３４ａと、曲板部３４ａおよび台座部３２の間に亘って配置されている複数の板部３４ｂとを有する。つまり、複数の補強部３４は、台座部３２および曲板部３４ａの間の空間が、複数の板部３４ｂによって仕切られることで構成されている複数の空間を有する、中空構造の部位である。なお、曲板部３４ａは、それ自体では、中実構造である。また、複数の板部３４ｂは、それ自体では、中実構造である。
【００７３】
曲板部３４ａは、台座部３２に対向して配置される曲板状の部位である。曲板部３４ａは、第１の支持部３１の外周面から外側に向かって延び、第１の支持部３１の軸方向（つまりＺ軸方向）に交差している。
【００７４】
複数の板部３４ｂは、第１の支持部３１、台座部３２および曲板部３４ａに交差する姿勢で、第１の支持部３１、台座部３２および曲板部３４ａに固定され、第１の支持部３１の外周の周方向に並んで配置される部位である。
【００７５】
コネクタ部３８は、図６に示すように、複数の締結部３３のうちのＸ軸方向プラス側に配置される第１の締結部３３Ａと、Ｘ軸方向マイナス側に配置される第２の締結部３３Ｂとの間に設けられ、スピーカユニット２０へ音声信号を入力するための配線が接続される部位である。
【００７６】
次に、複数の接続部３７の詳細な構成について図７および図８を用いて説明する。
【００７７】
複数の接続部３７は、それぞれが同一の形状を有しているため、ここでは、Ｙ軸方向に沿って配置されている接続部３７について説明し、その他の接続部３７の説明を省略する。
【００７８】
図７は、フレームを下方から見た斜視図である。図８は、図５におけるＶＩＩＩ−ＶＩＩＩ断面を示す図である。具体的には、図８の（ａ）は、図５におけるＶＩＩＩ−ＶＩＩＩ断面の全体を示す図であり、図８の（ｂ）は、図８の（ａ）の接続部３７付近の拡大図である。
【００７９】
図７に示すように、接続部３７は、第２の支持部３６から第１の支持部３１に向かうにしたがって、放出方向（Ｚ軸方向）における幅が大きくなっている。接続部３７は、第１の支持部３１と接続されている第１接続部分３７ａにおけるＺ軸方向における第１幅ｈ１は、第２の支持部３６と接続されている第２接続部分３７ｂにおけるＺ軸方向の第２幅ｈ２よりも大きい。そして、第１接続部分３７ａは、第１の支持部３７のＺ軸方向プラス側の端部（つまり当接面３５）との間に幅ｈ３の隙間が設けられている。
【００８０】
また、接続部３７は、振動板２１の径方向に沿って形成される部位である。つまり、複数の接続部３７は、第２の支持部３６から第１の支持部３１に向かって放射状に形成されている。
【００８１】
また、図８に示すように、接続部３７は、第１のリブ５１と、第２のリブ５２とを有していてもよい。第１のリブ５１は、接続部３７の前側（Ｚ軸方向プラス側）の第１部位３７ｃから振動板２１の周方向の一方（上面視における右回転方向）側に向かって立設され、径方向に沿って延びる部位である。第２のリブ５２は、第１部位３７ｃよりも後ろ側（Ｚ軸方向マイナス側）の第２部位３７ｄから周方向の他方（上面視における左回転方向）側に向かって立設され、径方向に沿って延びる。このように、接続部３７は、第１のリブ５１および第２のリブ５２が形成されており、断面が略Ｚ形状を有している。
【００８２】
また、接続部３７は、さらに、第１のリブ５１から後ろ側（Ｚ軸方向マイナス側）に向って立設され、径方向に沿って延びる第３のリブ５３を有していてもよい。また、接続部３７は、さらに、第２のリブ５２から後ろ側（Ｚ軸方向マイナス側）に向って立設され、径方向に沿って延びる第４のリブ５４を有していてもよい。
【００８３】
このように、接続部３７は、第１のリブ５１、第２のリブ５２、第３のリブ５３、および第４のリブ５４が形成されており、これらのリブ５１〜５４は、接続部３７の長さの全体にわたって形成されていてもよい。
【００８４】
また、接続部３７は、図７に示すように、第１接続部分３７ａにおいては、接続部３７が延びている方向の端部と、第１の支持部３１の内周とが接続されている。そして、接続部３７は、接続部３７の長さの全体にわたってリブ５１〜５４が形成されているため、第１のリブ５１および第２のリブは、第１の支持部３１と接続されていてもよい。また、第３のリブ５３および第４のリブは、第１の支持部５１と接続されていてもよい。なお、接続部３７は、第１の支持部３１と固定されることにより接続されている。
【００８５】
また、接続部３７は、第２接続部分３７ｂにおいては、接続部３７の上部と、第２の支持部３６の外周側の下面とが接続されている。つまり、接続部３７は、第２の接続部分３７ｂにおいて、第１のリブ５１および第２のリブ５２が延設された形状を有していてもよい。また、接続部３７は、第２の接続部分３７ｂにおいて、さらに、第３のリブ５３および第４のリブ５４が延設された形状を有していてもよい。上述したように、接続部３７の第２接続部分３７ｂは、第２の支持部３６の外周側の下側において接続されている。つまり、第２の支持部３６の外周側の下側からＺ軸方向マイナス側に突出している部分が第２接続部分３７ｂであり、当該第２接続部分３７ｂまでリブ５１〜５４が形成されていてもよい。
【００８６】
また、図７に示すように、接続部３７は、Ｚ軸方向マイナス側がＺ軸方向プラス側に向って凹んでいる凹形状５５を有していてもよい。
【００８７】
次に、複数の補強部３４の側方（つまりＺ軸方向に直行する方向）から見た形状について、図９および図１０を用いて説明する。
【００８８】
図９は、図５における第１の視線方向Ｄ１から見た場合のフレームの側面図である。図１０は、図５における第２の視線方向Ｄ２から見た場合のフレームの側面図である。
【００８９】
図９および図１０に示すように、複数の補強部３４は、台座部３２側（つまりＺ軸方向マイナス側）とは反対側（つまりＺ軸方向プラス側）において、第１の支持部３１の外側から見て、Ｚ軸方向マイナス側に凸の曲面状の形状を有する。つまり、複数の補強部３４の曲板部３４ａの形状は、Ｚ軸方向マイナス側に凸の曲面状の形状である。
【００９０】
また、複数の補強部３４は、第１の支持部３１の外周の周方向における当該補強部３４の両端が、当該補強部３４が対応する複数の締結部３３（つまり、当該補強部３４の両端側に配置されている２つの締結部３３）の突出部３３ｂに固定されている。また、複数の補強部３４は、当該補強部３４の両端の第１部分における台座部３２からの第１の高さＨ１１、Ｈ２１が、当該補強部３４の複数の締結部３３の間の中央の第２部分における台座部３２からの第２の高さＨ１２、Ｈ２２よりも高い構造を有する。また、第１の高さＨ１１、Ｈ２１は、台座部３２からの第１の支持部３１の高さと略等しい。また、第２の高さＨ１２、Ｈ２２は、第１の高さＨ１１、Ｈ２１の１／２以下の高さであってもよい。また、第１の高さＨ１１、Ｈ２１は、台座部３２からの複数の補強部３４の高さが最大の高さであり、第２の高さＨ１２、Ｈ２２は、台座部３２からの複数の補強部３４の高さが最小の高さである。
【００９１】
また、複数の補強部３４は、当該補強部の略中央の位置からスピーカユニット１００の中心軸に向かう方向に沿った形状を有していてもよい。
【００９２】
また、図５、図９および図１０に示すように、複数の補強部３４のうち、コネクタ部３８が配置されている第１の補強部３４Ａの構成と、コネクタ部３８が配置されていない第２の補強部３４Ｂの構成とは異なる。
【００９３】
具体的には、複数の補強部３４のうち、第１の締結部３３Ａおよび第２の締結部３３Ｂの間に設けられる第１の補強部３４Ａが有する複数の板部３４ｂの数は、第１の補強部３４Ａ以外の第２の補強部３４Ｂが有する複数の板部３４ｂの数よりも少ない。また、第１の補強部３４Ａの第１の高さＨ２１は、第１の補強部３４Ｂの第１の高さＨ１１よりも低い。よって、第１の補強部３４Ａの剛性は、第２の補強部３４Ｂの剛性よりも小さい。これは、第１の補強部３４Ａにはコネクタ部３８が配置されているため、第１の補強部３４Ａおよびコネクタ部３８を合わせた剛性が、第２の補強部３４Ｂの剛性と等しくなるように調整しているためである。つまり、台座部３２における、複数の締結部３３の間の複数の領域の剛性は、互いに略等しい。
【００９４】
［１−３．効果など］
本実施の形態におけるスピーカユニット１００は、振動板２１および磁気回路２２が前側（Ｚ軸方向プラス側）において結合されたフレーム３０を備える。フレーム３０は、第１の支持部３１と、第２の支持部３６と、複数の接続部３７とを備える。第１の支持部３１は、振動板２１の外周を支持し、外周を囲う筒状の形状を有する。第２の支持部３６は、第１の支持部３１の内側に配置され、磁気回路２２を支持する。複数の接続部３７は、第１の支持部３１と、第２の支持部３６とを接続する。接続部３７は、第２の支持部３６から第１の支持部３１に向うにしたがって、Ｚ軸方向における幅が大きくなっている。接続部３７は、第１の支持部３１と接続されている第１接続部分３７ａにおけるＺ軸方向の第１幅ｈ１は、第２の支持部３６と接続されている第２接続部分３７ｂにおけるＺ軸方向の第２幅ｈ２よりも大きい。
【００９５】
これによれば、接続部３７は、第１の支持部３１に向かうにしたがって、Ｚ軸方向における幅が大きくなっており、第１接続部分３７ａにおける第１の幅ｈ１が第２接続部分３７ｂにおける第２幅ｈ２よりも大きいため、第１接続部分３７ａにおける強度を確保しつつ、軽量化を実現することができる。
【００９６】
また、本実施の形態において、第１接続部分３７ａは、第１の支持部３１のＺ軸方向プラス側の端部との間に隙間が設けられている。このため、更なる軽量化を実現することができる。
【００９７】
また、本実施の形態において、接続部３７は、振動板２１の径方向に沿って形成される部位である。接続部３７は、第１のリブ５１と、第２のリブ５２とを有する。第１のリブ５１は、接続部３７のＺ軸方向プラス側の第１部位３７ｃから振動板２１の周方向の一方（上面視における右回転方向）側に向かって立設され、径方向に沿って延びる部位である。第２のリブ５２は、第１部位３７ｃよりもＺ軸方向マイナス側の第２部位３７ｄから周方向の他方（上面視における左回転方向）側に向かって立設され、径方向に沿って延びる部位である。このため、接続部３７の強度をさらに向上させることができる。
【００９８】
また、本実施の形態において、接続部３７は、さらに、第１のリブ５１からＺ軸方向マイナス側に向かって立設され、径方向に沿って延びる第３のリブ５３を有する。このため、接続部３７の強度をさらに向上させることができる。
【００９９】
また、本実施の形態において、接続部３７は、さらに、第２のリブ５２からＺ軸方向マイナス側に向かって立設され、径方向に沿って延びる第４のリブ５４を有する。このため、接続部３７の強度をさらに向上させることができる。
【０１００】
また、本実施の形態において、接続部３７は、第２接続部分３７ｂにおいて、第１のリブ５１および第２のリブ５２が延設された形状を有する。このため、第２接続部分３７ｂにおける強度をさらに向上させることができる。
【０１０１】
また、本実施の形態において、第１のリブ５１および第２のリブ５２は、第１の支持部３１と接続されている。このため、第１接続部分３７ａにおける強度をさらに向上させることができる。
【０１０２】
また、本実施の形態において、接続部３７は、Ｚ軸方向マイナス側がＺ軸方向プラス側に向かって凹んでいる凹形状を有する。このため接続部３７における強度を確保しつつ、更なる軽量化を実現することができる。
【０１０３】
本実施の形態におけるスピーカユニット１００は、開口部１１１を塞いだ状態で、開口部１１１に固定されるスピーカユニット１００である。スピーカユニット１００は、振動板２１および磁気回路２２と結合するフレーム３０を備える。フレーム３０は、略筒状の第１の支持部３１と、台座部３２と、複数の締結部３３と、複数の補強部３４とを有する。第１の支持部３１は、内部に配置される振動板２１の外周を支持する部位である。台座部３２は、第１の支持部３１の外周から外側に拡がり、開口部１１１に対向する部位である。複数の締結部３３は、台座部３２における、第１の支持部３１の外周を囲う複数の位置に並んで設けられ、開口部１１１に締結される部位である。複数の補強部３４は、台座部３２における、複数の締結部３３の間の複数の領域に配置され、第１の支持部３１の外周、および、台座部３２の開口部１１１側とは反対側の面に固定された、中空構造の部位である。また、複数の補強部３４は、台座部３２からの高さが第１の高さＨ１１、Ｈ２１である第１部分と、第１の高さＨ１１、Ｈ２１より低い第２の高さＨ１２、Ｈ２２である第２部分とを有する。
【０１０４】
これによれば、複数の補強部３４の第２部分を第１部分よりも低くしている。このため、低くした分だけ、フレーム３０を軽量化することができる。これにより、フレーム３０を十分に軽量化することができ、スピーカユニット１００を十分に軽量化することができる。
【０１０５】
また、本実施の形態において、複数の補強部３４は、第１の支持部３１および台座部３２に交差する姿勢で、第１の支持部３１および台座部３２に固定され、第１の支持部３１の外周の周方向に並んで配置される複数の板部３４ｂを有する。
【０１０６】
これによれば、複数の補強部３４は、中空構造において、第１の支持部３１および台座部３２に交差する姿勢で、第１の支持部３１および台座部３２に固定される複数の板部３４ｂを有する。このため、複数の補強部３４の強度を十分に確保できる。よって、フレームの十分な軽量化、および、十分な強度の確保の両立を実現できる。
【０１０７】
また、本実施の形態において、複数の補強部３４は、さらに、台座部３２に対向して配置される曲板状の曲板部３４ａを有し、複数の板部３４ｂは、台座部３２および曲板部３４ａの間に配置され、さらに、曲板部３４ａに交差する姿勢で、曲板部３４ａに固定される。
【０１０８】
これによれば、複数の補強部３４は、台座部３２に対向して配置されている曲板部３４ａと、台座部３２および曲板部３４ａの間に配置される複数の板部３４ｂとにより、中空構造を構成している。このため、フレーム３０の台座部３２における強度を十分に確保できる。
【０１０９】
また、本実施の形態において、複数の補強部３４は、当該補強部３４の略中央の位置からスピーカユニット１００の中心軸に向かう方向に沿って形成されている。
【０１１０】
このため、例えば、フレーム３０を樹脂成形する場合に、当該補強部３４の略中央の位置からスピーカ本体２０の中心軸に向かう方向に略平行な形状を有する金型を使用すればよいため、フレーム３０の樹脂成形を容易に実現することができる。
【０１１１】
また、本実施の形態において、フレーム３０は、さらに、複数の締結部３３のうちの第１の締結部３３Ａおよび第２の締結部３３Ｂの間に設けられ、スピーカ本体２０へ音声信号を入力するための配線が接続されるコネクタ部３８を有する。そして、複数の補強部３４のうち、第１の締結部３３Ａおよび第２の締結部３３Ｂの間に設けられる第１の補強部３４Ａの剛性は、第１の補強部３４Ａ以外の第２の補強部３４Ｂの剛性よりも小さい。
【０１１２】
コネクタ部３８が設けられる台座部３２の領域では、コネクタ部３８が形成されている分だけ、剛性が大きくなるため、第１の補強部３４Ａの剛性を第２の補強部３４Ｂの剛性よりも小さくすることで、台座部３２の複数の領域における剛性を均一化することができる。このため、台座部３２の特定の部位にだけ荷重がかかることで、当該特定の部位が変形したり、破損したりすることを抑制することができる。
【０１１３】
また、本実施の形態において、第１の補強部３４Ａが有する複数の板部３４ｂの数は、第２の補強部３４Ｂが有する複数の板部３４ｂの数よりも少ない。このため、簡単な構成で、第１の補強部３４Ａの剛性を第２の補強部３４Ｂの剛性よりも小さくすることができる。
【０１１４】
また、本実施の形態において、複数の補強部３４は、台座部３２側とは反対側において、第１の支持部３１の外側から見て、台座部３２側に凸の曲面状の形状を有する。このため、複数の補強部３４の剛性を向上させることができる。
【０１１５】
また、本実施の形態において、複数の締結部３３は、第１の支持部３１の外周から外側に突出する板状の突出部３３ｂを有する。そして、複数の補強部３４は、さらに、第１の支持部３１の外周の周方向における当該補強部３４の両端が、当該補強部３４が対応する複数の締結部３３の突出部３３ｂに固定されている。また、複数の補強部３４は、当該補強部３４の両端における台座部３２からの高さＨ１１、Ｈ２１が、当該補強部３４の複数の締結部３３の間の部位における台座部３２からの高さＨ１２、Ｈ２２よりも高い構造を有する。
【０１１６】
一般的に、スピーカユニット１００の台座部３２と開口部１１１との間には、ガスケットとしての第２の弾性部材４０を配置することで、気密性および水密性を向上させる。また、スピーカユニット１００は、第２の弾性部材４０が台座部３２と開口部１１１との間に配置された上で、フレーム３０の複数の締結部３３において、圧縮応力が働くように開口部１１１に締結部材によって締結される。このため、フレーム３０の台座部３２は、第２の弾性部材４０からの反発力を受ける。特に、台座部３２の、複数の締結部３３の間の領域では、締結部材により締結されていないため、開口部１１１とは反対側に凸になるように変形しやすい。複数の補強部３４は、台座部３２の、変形しやすい複数の締結部３３の間の領域のうち、補強部３４の両端における台座部３２からの高さが、当該補強部３４の複数の締結部３３の間の部位における台座部３２からの高さよりも高い構造としている。このため、台座部３２の、複数の締結部３３の間の部位が、開口部１１１とは反対側に凸になるように変形することを抑制できる。このように、台座部３２が変形することを抑制できるため、台座部３２と開口部１１１との間に隙間が生じることを抑制できる。よって、スピーカユニット１００と開口部１１１との間の気密性および水密性を向上させることができる。
【０１１７】
また、本実施の形態において、複数の補強部３４は、当該補強部３４の両端における台座部３２からの高さＨ１１（Ｈ２１）が、略等しい。また、複数の補強部３４は、当該補強部３４の、第１の支持部３１の外周の周方向における、中央付近での台座部３２からの高さＨ１２、Ｈ２２が、当該補強部３４の台座部３２からの高さのうちの最小の高さである。
【０１１８】
このため、台座部３２が開口部１１１とは反対側に凸になるように変形することを効果的に抑制できる。このため、スピーカユニット１００と開口部１１１との間の気密性および水密性を効果的に向上させることができる。
【０１１９】
（実施の形態２）
［２−１．フレームの構成］
次に、図１１〜図１５を用いて、実施の形態２に係るスピーカユニットについて説明する。
【０１２０】
実施の形態２に係るスピーカユニットは、フレーム１３０以外の構成は、実施の形態１のスピーカユニット１００と同様であるので、フレーム１３０の構成のみについて説明する。また、フレーム１３０は、実施の形態１に係るフレーム３０の構成と、複数の補強部１３４の構成が主に異なるため、複数の補強部１３４の構成について主に説明する。なお、実施の形態１と共通する構成については、実施の形態１と同様の符号により説明する。また、フレーム１３０は、樹脂により、各構成要素３１〜３３、１３４、３５〜３８が一体に形成されている構成である。
【０１２１】
図１１は、実施の形態２に係るフレームの斜視図である。図１２は、Ｚ軸方向プラス側から見た場合のフレームの平面図である。図１３は、図１１とは異なる角度から見た場合のフレームの斜視図である。
【０１２２】
図１１〜図１３に示すように、複数の補強部１３４は、壁部１３４ａと、壁部１３４ａおよび第１の支持部３１の間に亘って配置されている複数の板部１３４ｂとを有する。
【０１２３】
複数の補強部１３４は、実施の形態１のフレーム３０の複数の補強部３４と同様に、台座部３２における複数の締結部３３の間の複数の領域に配置され、第１の支持部３１の外周、および、台座部３２に固定されている。複数の補強部１３４は、台座部３２の開口部１１１側とは反対側（つまり、Ｚ軸方向プラス側）の面に固定されている。複数の補強部１３４は、壁部１３４ａと、壁部１３４ａおよび第１の支持部３１の間に亘って配置されている複数の板部１３４ｂとを有する。つまり、複数の補強部１３４は、第１の支持部３１および壁部１３４ａの間の空間が、複数の板部１３４ｂによって仕切られることで構成されている複数の空間を有する、中空構造の部位である。なお、壁部１３４ａは、それ自体では、中実構造である。また、複数の板部１３４ｂは、それ自体では、中実構造である。
【０１２４】
壁部１３４ａは、第１の支持部３１の外側において台座部３２に立設され、第１の支持部３１に対向して配置される曲板状の部位である。壁部１３４ａは、第１の支持部３１の外周面に沿った形状を有する。
【０１２５】
複数の板部１３４ｂは、第１の支持部３１、台座部３２および壁部１３４ａに交差する姿勢で、第１の支持部３１、台座部３２および壁部１３４ａに固定され、第１の支持部３１の外周の周方向に並んで配置される部位である。
【０１２６】
ここで、複数の補強部１３４の側方（つまりＺ軸方向に直交する方向）から見た形状について、図１４および図１５を用いて説明する。
【０１２７】
図１４は、図１２における第１の視線方向Ｄ１から見た場合のフレームの側面図である。図１５は、図１２における第２の視線方向Ｄ２から見た場合のフレームの側面図である。
【０１２８】
図１４および図１５に示すように、複数の補強部１３４は、台座部３２側（つまりＺ軸方向マイナス側）とは反対側（つまりＺ軸方向プラス側）において、第１の支持部３１の外側から見て、Ｚ軸方向マイナス側に凸の曲面状の形状を有する。つまり、複数の補強部１３４の壁部１３４ａのＺ軸方向プラス側の端部の形状は、Ｚ軸方向マイナス側に凸の曲線状の形状である。
【０１２９】
また、複数の補強部１３４は、第１の支持部３１の外周の周方向における当該補強部１３４の両端が、当該補強部１３４が対応する複数の締結部３３（つまり、当該補強部１３４の両端側に配置されている２つの締結部３３）の突出部３３ｂに固定されている。また、複数の補強部１３４は、当該補強部１３４の両端の第１部分における台座部３２からの第１の高さＨ３１、Ｈ４１が、当該補強部１３４の複数の締結部３３の間の中央の第２部分における台座部３２からの第２の高さＨ３２、Ｈ４２よりも高い構造を有する。また、第１の高さＨ３１、Ｈ４１は、台座部３２からの第１の支持部３１の高さと略等しい。また、第２の高さＨ３２、Ｈ４２は、第１の高さＨ３１、Ｈ４１の１／２以下の高さであってもよい。また、第１の高さＨ３１、Ｈ４１は、台座部３２からの複数の補強部１３４の高さが最大の高さであり、第２の高さＨ３２、Ｈ３２は、台座部３２からの複数の補強部１３４の高さが最小の高さである。
【０１３０】
また、複数の補強部１３４は、第１の支持部３１の軸方向（つまり、Ｚ軸方向）に沿った形状を有していてもよい。
【０１３１】
また、複数の補強部１３４のうち、コネクタ部３８が配置されている第１の補強部１３４Ａの構成と、コネクタ部３８が配置されていない第２の補強部１３４Ｂの構成とは異なる。
【０１３２】
具体的には、複数の補強部１３４のうち、第１の締結部３３Ａおよび第２の締結部３３Ｂの間に設けられる第１の補強部１３４Ａが有する複数の板部３４ｂの数は、第１の補強部１３４Ａ以外の第２の補強部１３４Ｂが有する複数の板部３４ｂの数よりも少ない。また、第１の補強部１３４Ａの第１の高さＨ３１は、第１の補強部１３４Ｂの第１の高さＨ３１よりも低い。よって、第１の補強部１３４Ａの剛性は、第２の補強部１３４Ｂの剛性よりも小さい。これは、実施の形態１と同様に、第１の補強部１３４Ａにはコネクタ部３８が配置されているため、第１の補強部１３４Ａおよびコネクタ部３８を合わせた剛性が、第２の補強部１３４Ｂの剛性と等しくなるように調整しているためである。つまり、台座部３２における、複数の締結部３３の間の複数の領域の剛性は、互いに略等しい。
【０１３３】
［２−２．効果など］
本実施の形態におけるスピーカユニットは、複数の補強部１３４は、さらに、第１の支持部３１の外側において台座部３２に立設され、第１の支持部３１に対向して配置される壁部１３４ａを有する。そして、複数の板部１３４ｂは、第１の支持部３１および壁部１３４ａの間に配置され、さらに、壁部１３４ａに交差する姿勢で、壁部１３４ａに固定される。
【０１３４】
これによれば、複数の補強部１３４は、第１の支持部３１に対向して配置されている壁部１３４ａと、第１の支持部３１および壁部１３４ａの間に配置される複数の板部１３４ｂとにより、中空構造を構成している。このため、フレーム１３０の台座部３２における強度を十分に確保できる。
【０１３５】
また、本実施の形態において、複数の補強部１３４は、第１の支持部３１の軸方向（つまり、Ｚ軸方向）に沿った形状を有している。
【０１３６】
このため、例えば、フレーム１３０を樹脂成形する場合に、第１の支持部３１の軸方向（Ｚ軸方向）に略平行な形状を有する金型を使用すればよいため、フレーム１３０の樹脂成形を容易に実現することができる。
【０１３７】
（変形例）
［３−１．変形例１］
上記実施の形態では、複数の補強部３４、１３４は、Ｚ軸方向プラス側において、第１の支持部３１の外側から見て、Ｚ軸方向マイナス側に凸の曲面状の形状を有するとしたが、これに限らない。例えば、Ｚ軸方向プラス側において、第１の支持部３１の外側から見て、Ｚ軸方向マイナス側に凸の谷状の形状を有する補強部を採用してもよい。ここで、谷状の形状とは、２つの平面がＺ軸方向マイナス側に凸になるように交差している形状である。
【０１３８】
［３−２．変形例２］
また、上記実施の形態では、複数の補強部３４は、当該補強部３４の両端における台座部３２からの第１の高さＨ１１、Ｈ２１が、当該補強部３４の複数の締結部３３の間の部位における台座部３２からの第２の高さＨ１２、Ｈ２１よりも高い構造を有するとしたがこれに限らない。つまり、台座部３２からの高さが第１の高さである第１部分と、第１の高さよりも低い第２の高さである第２の部分とを有する構造の補強部であれば上記の構造に限らない。
【０１３９】
例えば、補強部は、両端よりも補強部の中央部の高さが高く、Ｚ軸方向プラス側に凸の曲面状の形状を有する構成であってもよいし、Ｚ軸方向プラス側に凸の山状の形状を有する構成であってもよい。なお、Ｚ軸方向プラス側に凸の山状の形状とは、２つの平面がＺ軸方向プラス側に凸になるように交差している形状である。
【０１４０】
［３−３．変形例３］
また、上記実施の形態では、また、複数の補強部３４の両端における第１の高さＨ１１、Ｈ２１は、台座部３２からの複数の補強部３４の高さが最大の高さであるとしたが、これに限らない。つまり、複数の補強部３４の両端における高さを最大の高さとしなくてもよく、両端からずれた位置における高さが最大の高さである構成としてもよいし、中央における高さが最大の高さである構成としてもよい。
【０１４１】
また、複数の補強部３４の中央における第２の高さＨ１２、Ｈ２２は、台座部３２からの複数の補強部３４の高さが最小の高さであるとしたが、これに限らない。つまり、複数の補強部３４の中央における高さを最小の高さとしなくてもよく、中央からずれた位置における高さが最小の高さである構成としてもよいし、両端における高さが最小の高さである構成としてもよい。
【０１４２】
［３−４．変形例４］
また、上記実施の形態では、複数の締結部３３の間の複数の領域のそれぞれに亘って、補強部３４が形成されている構成であるが、補強部は、当該領域の幅の全体に亘って形成されていなくてもよい。例えば、補強部の両端は、締結部に固定されていない構成であってもよい。
【０１４３】
（実施の形態３）
次に、スピーカユニット１００を用いた電子機器の一例について、図１６を参照しながら説明する。図１６は、実施の形態３における電子機器であるオーディオ用のミニコンポシステムの外観図である。
【０１４４】
スピーカユニット１００がエンクロジャー２０１に組込まれて、スピーカシステムが構成されている。ミニコンポシステム２００は、このスピーカシステムと、スピーカユニット１００に入力する電気信号の増幅部であるアンプ２０２と、アンプ２０２に入力されるソースを出力するプレーヤ２０３とを有している。すなわち、ミニコンポシステム２００はスピーカユニット１００と、スピーカユニット１００に電気信号を入力する回路部であるアンプ２０２とを有する。
【０１４５】
この構成とすることにより、軽量化や省資源化で地球環境対応に貢献できる電子機器を実現することができる。
【０１４６】
さらに、取付け時の変形や取付け歪等についても、フレームの強度確保ができていることから、大きく低減させることができ、低価格や高品質、高信頼性を実現できる電子機器を実現することができる。よって、電子機器の軽量化や省資源化と低価格化、高品質、高信頼性を実現できるという大きな効果を発揮することができる。
【０１４７】
（実施の形態４）
次に、図１７を参照しながら、スピーカユニット１００を用いた移動体装置の一例を説明する。図１７は、実施の形態４における移動体装置である自動車の断面図である。
【０１４８】
スピーカユニット１００をリアトレイやフロントパネルに組込んで、カーナビゲーションやカーオーディオの一部として使用して自動車３００が構成されている。カーナビゲーションやカーオーディオは、スピーカに電気信号を入力する回路部３０１を構成している。すなわち、移動体装置である自動車３００は、スピーカユニット１００と、スピーカユニット１００に電気信号を入力する回路部３０１と、スピーカユニット１００と回路部３０１とを搭載した、自走可能な本体３０２とを有する。
【０１４９】
スピーカユニット１００の自動車３００への取付け位置については、リアトレイやフロントパネルに限定されることなく、ドアや天井、ピラー部、インパネ部、床等どの位置であっても良い。
【０１５０】
この構成とすることにより、軽量化や省資源化で移動体装置の省燃費化を図り、地球環境対応に貢献できる移動体装置を実現することができる。さらに、取付け時の変形や取付け歪等についても、フレームの強度確保ができていることから、大きく低減させることができ、低価格や高品質、高信頼性を実現できる移動体装置を実現することができる。よって、移動体装置の軽量化や省資源化と低価格化、高品質、高信頼性を実現できるという大きな効果を発揮することができる。
【０１５１】
（その他の実施の形態）
上記実施の形態では、第１接続部分３７ａは、第１の支持部３１のＺ軸方向プラス側の端部である当接面３５までの間に隙間が設けられているとしたが、これに限らない。例えば、接続部は、当接面３５までの間に、隙間が設けられていない状態で第１の支持部３１と接続されていてもよい。つまり、接続部３７は、第１の支持部３１の内周面とＺ軸方向の幅全体にわたって接続されていてもよい。なお、この場合、振動板２１は、アップロールの形状を有していることが好ましい。接続部が第１の支持部３１のＺ軸方向の幅全体にわたって接続されている場合、振動板２１のアップロールの形状の部位が接続部に干渉するおそれがあるからである。
【０１５２】
反対に、本実施の形態のように、接続部が当接面３５までの間に隙間が設けられている場合、振動板はダウンロールの形状を有していてもよい。つまり、隙間が設けられているため、ダウンロールの形状を有する振動板であっても、当該振動板は、接続部と干渉しないからである。
【０１５３】
以上、本発明の一つまたは複数の態様に係るスピーカユニットについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【産業上の利用可能性】
【０１５４】
本開示は、十分な軽量化を実現できるスピーカユニットなどとして有用である。
【符号の説明】
【０１５５】
１０    第１の弾性部材
２１    振動板
２２    磁気回路
３０、１３０    フレーム
３１    第１の支持部
３２    台座部
３３    締結部
３３Ａ    第１の締結部
３３Ｂ    第２の締結部
３３ａ    貫通孔
３３ｂ    突出部
３４、１３４    補強部
３４Ａ    第１の補強部
３４Ｂ    第２の補強部
３４ａ    曲板部
３４ｂ    板部
３５    当接面
３６    第２の支持部
３７    接続部
３７ａ  第１接続部分
３７ｂ    第２接続部分
３７ｃ    第１部位
３７ｄ    第２部位
３８    コネクタ部
４０    第２の弾性部材
５１    第１リブ
５２    第２リブ
５３    第３リブ
５４    第４リブ
１００    スピーカユニット
１１０    外部筐体
１１１    開口部
１１２    貫通孔
１３４Ａ    第１の補強部
１３４Ｂ    第２の補強部
１３４ａ    壁部
１３４ｂ    板部
２００    ミニコンポシステム
２０１    エンクロジャー
２０２    アンプ
２０３    プレーヤ
３００    自動車
３０１    回路部
３０２    本体
【図１】
2018056853.tif 000003
【図２】
2018056853.tif 000004
【図３】
2018056853.tif 000005
【図４】
2018056853.tif 000006
【図５】
2018056853.tif 000007
【図６】
2018056853.tif 000008
【図７】
2018056853.tif 000009
【図８】
2018056853.tif 000010
【図９】
2018056853.tif 000011
【図１０】
2018056853.tif 000012
【図１１】
2018056853.tif 000013
【図１２】
2018056853.tif 000014
【図１３】
2018056853.tif 000015
【図１４】
2018056853.tif 000016
【図１５】
2018056853.tif 000017
【図１６】
2018056853.tif 000018
【図１７】
2018056853.tif 000019